(57)【要約】      （修正有）【課題】専用の端子箱取付具を別途用いることなく、端子箱を複数箇所に設置することが可能な回転電機を提供する。【解決手段】回転電機は、固定子５を収容するフレーム１にあって回転軸１０の軸方向から見て径方向の異なる複数箇所に端子箱取付用の端子箱取付座１８を備えている。複数の端子箱取付座１８はそれぞれ切離可能部を有していて、切離可能部で切り離すことで開口部を形成する。【選択図】図１
2014166096.tif 000002
【特許請求の範囲】
【請求項１】
固定子を収容するフレームにあって回転軸の軸方向から見て径方向の異なる複数箇所に端子箱取付用の端子箱取付座を備えたことを特徴とする回転電機。
【請求項２】
複数の前記端子箱取付座はそれぞれ切離可能部を有していて、その切離可能部で切り離すことで開口部を形成する構成であることを特徴とする請求項１記載の回転電機。
【発明の詳細な説明】
【技術分野】
【０００１】
本発明の実施形態は、回転電機に関する。
【背景技術】
【０００２】
回転電機、例えば誘導電動機においては、一般に、固定子を収容するフレームの外面側に、端子箱取付用の端子箱取付座が設けられている。端子箱は、固定子コイルの口出し線と電源供給用の電源線とを接続するために必要なものである。従来、端子箱取付座は、フレームの１箇所のみ、例えば回転軸の軸方向において負荷接続用の端部から見て左側に設けられている。ところが、回転電機の設置場所によっては、端子箱を、回転軸の軸方向から見て右側に設置したり、上側に設置したりしたいという要求があるが、容易には対応することができないものであった。
【０００３】
このようなことに対処するために、例えば、フレームに対して端子箱取付具を着脱可能に設け、この端子箱取付具の取付位置を選択することで、端子箱を、回転軸の軸方向から見て左側、右側、並びに上側のいずれかに設置することができるようにしたものが考えられている。しかしながら、このものにおいては、専用の端子箱取付具を別途必要としているため、コストが高くなるという課題がある。
【先行技術文献】
【特許文献】
【０００４】
【特許文献１】特開平８−１８２２４４号公報
【発明の概要】
【発明が解決しようとする課題】
【０００５】
そこで、専用の端子箱取付具を別途用いることなく、端子箱の取付位置を容易に変えることが可能な回転電機を提供する。
【課題を解決するための手段】
【０００６】
本実施形態の回転電機によれば、固定子を収容するフレームにあって回転軸の軸方向から見て径方向の異なる複数箇所に端子箱取付用の端子箱取付座を備えている。
【図面の簡単な説明】
【０００７】
【図１】本実施形態による回転電機（誘導電動機）を、回転軸の軸方向から見た正面図
【図２】一部を破断して示す回転電機の破断左側面図
【図３】端子箱取付座の正面図
【図４】端子箱取付座の拡大断面図
【発明を実施するための形態】
【０００８】
以下、本実施形態による回転電機について図面を参照して説明する。回転電機としては、この場合誘導電動機である。図２に示すように、誘導電動機のフレーム１は、例えばアルミダイキャストにより製造されたものであり、横向きのほぼ円筒状をなしている。このフレーム１において、開口部となる図２の左右両端部には軸受ブラケット２，３がボルト４により固定状態に取り付けられている。
【０００９】
フレーム１の内部には、固定子５が収容固定されている。固定子５は、フレーム１の内周部に固定された円環状の固定子鉄心６と、この固定子鉄心６のスロット部に巻回された固定子コイル７により構成されている。固定子５の内部には、回転子８が配設されている。この回転子８は、回転子鉄心９の中心部に回転軸１０を備えていて、前記軸受ブラケット２，３に設けられた軸受１１，１２により回転軸１０が回転自在に保持されている。回転子鉄心９の外周面と固定子鉄心６の内周面との間にはエアギャップが形成されている。回転子８には、内部ファン１３が設けられている。この内部ファン１３は、回転子鉄心９から軸方向に突出している。内部ファン１３は、回転子８と一体に回転し、その回転に伴いフレーム１内に送風作用を生じさせ、内部を冷却する。
【００１０】
回転軸１０の軸方向の両端部は、軸受ブラケット２，３から外側へ突出している。回転軸１０の両端部のうち、図２の左側の端部１０ａには外部ファン１４が取着され、図２の右側の端部１０ｂには、図示はしないが負荷が接続される。図２の左側の軸受ブラケット２の外側には、外部ファン１４を覆うファンカバー１５が取り付けられている。ファンカバー１５には、吸気部１６が設けられている。外部ファン１４は、回転に伴いファンカバー１５外部の空気を吸気部１６からファンカバー１５内に吸入するとともに、その吸入した空気を軸受ブラケット２の外面からフレーム１の外面に沿って流すことにより、フレーム１の外部を冷却する。
【００１１】
フレーム１の下部には脚部１７が設けられている。そして、フレーム１の外周部の複数箇所に端子箱取付座１８が設けられている。端子箱取付座１８は、図１に示すように、回転軸１０の軸方向における負荷接続側の端部１０ｂから見て径方向の異なる複数箇所、この場合、左側部と、右側部と、上部の３箇所に設けられている。各端子箱取付座１８は、フレーム１に一体に設けられている。３箇所の端子箱取付座１８は、基本的に同一の構成であるので、一つの構成について説明する。端子箱取付座１８は、外側へ突出する四角筒状をなしていて、先端部が閉塞部１９により閉塞されている。閉塞部１９の周囲には、図３および図４にも示すように、閉塞部１９の部分よりも薄肉に形成された切離可能部２０が溝状に設けられている。切離可能部２０の厚さｔ１は例えば０．８ｍｍ以下に設定されている。このため、治具をあてて閉塞部１９をハンマー等で叩くことにより、その閉塞部１９を切離可能部２０で割り、切り離すことができる。閉塞部１９を取り除くことで、端子箱取付座１８に開口部を形成することができる。これにより、端子箱取付座１８を有効化することができる。なお、フレーム１の外周部には、リブ状の放熱フィン２１が複数設けられている。各放熱フィン２１は、回転軸１０の軸方向に沿って延びている。
【００１２】
上記構成の誘導電動機を組み立てる場合、予め端子箱を取り付ける位置を決めておき、フレーム１の３箇所の端子箱取付座１８のうち、決められた位置の端子箱取付座１８の閉塞部１９を割って取り除き、開口部を形成しておく。これにより、３箇所の端子箱取付座１８のうちの１箇所の端子箱取付座１８を有効化しておく。誘導電動機を組み立てる際に、固定子コイル７の口出し線（図示せず）を、前記開口部を通して引き出しておく。そして、開口部を形成した端子箱取付座１８に端子箱２２（図１の二点鎖線参照）を取り付ける。図１の状態では、端子箱２２は、回転軸１０の軸方向における負荷接続側の端部１０ｂから見てフレーム１の右側の端子箱取付座１８に取り付けた状態が示されている。固定子コイル７の口出し線は、端子箱２２内に引き出しておく。そして、誘導電動機を使用する場所に設置した際に、端子箱２１において、電源供給用の電源線（図示せず）と、前記固定子コイル７の口出し線とを接続することで、誘導電動機の使用が可能となる。
【００１３】
上記した実施形態においては、誘導電動機のフレーム１において、回転軸１０の軸方向から見て径方向の異なる複数箇所、この場合、左側、右側並びに上側の３箇所に端子箱取付座１８を備えているので、誘導電動機の設置場所に合わせて、３箇所の端子箱取付座１８のうちの１箇所の端子箱取付座１８を有効化することで、要求に容易に対応することができる。したがって、端子箱２２の取付位置を容易に変えることができる。この場合、専用の端子箱取付具を別途必要とすることもないので、コストの上昇を抑えることができる。
【００１４】
３箇所の端子箱取付座１８は、フレーム１の成形時には全て閉塞部１９にて閉塞しておき、必要な箇所の閉塞部１９を取り除いて開口部を形成する構成としているので、使用しない部分の端子箱取付座１８の開口部を後から塞ぐ必要はない。また、各閉塞部１９の周りに薄肉な切離可能部２０を形成しているので、閉塞部１９を容易に取り除くことができ、開口部を容易に形成することができる。
【００１５】
（その他の実施形態）
端子箱取付座１８の位置としては、回転軸１０の軸方向における負荷接続側の端部１０ｂから見て径方向の異なる複数箇所であれば、例えば左斜め上方、あるいは右斜め上方にも設けるようにしてもよい。
端子箱取付座１８の形状としては、四角筒状に限られず、円筒状であってもよい。
電動機に限られず、発電機に適用することもできる。
【００１６】
以上説明したように、本実施形態の回転電機によると、固定子を収容するフレームにあって回転軸の軸方向から見て径方向の異なる複数箇所に端子箱取付用の端子箱取付座を備えている。このため、回転電機の設置場所に合わせて、複数箇所の端子箱取付座のうちの１箇所の端子箱取付座を有効化することで、要求に容易に対応することができる。したがって、端子箱の取付位置を容易に変えることができる。この場合、専用の端子箱取付具を別途必要とすることもないので、コストの上昇を抑えることができる。
【００１７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００１８】
図面中、１はフレーム、５は固定子、７は固定子コイル、８は回転子、１０は回転軸、１８は端子箱取付座、１９は閉塞部、２０は切離可能部、２２は端子箱を示す。
【図１】
2014166096.tif 000003
【図２】
2014166096.tif 000004
【図３】
2014166096.tif 000005
【図４】
2014166096.tif 000006